(57)【要約】      （修正有）【課題】内筒及びヒューズエレメントを収容する外筒の水密性を長期間に亘って確実に確保できる電線ヒューズを提供する。【解決手段】配電線路の引込線に接続される一対の接続端子１Ｒ，１Ｌと、接続端子１Ｒ，１Ｌ間に接続されたヒューズエレメント２と、ヒューズエレメント２を収容する内筒３と、内筒３を収容する外筒４と、接続端子１Ｒ，１Ｌをそれぞれ貫通させて外筒４の両端部に装着された一対の防水キャップ５Ｒ，５Ｌとを有する電線ヒューズにおいて、外筒４は、防水キャップ５Ｒ，５Ｌの装着部の一部に周方向の全周に亘って形成された溝部４３Ｒ，４３Ｌを備える。さらに、防水キャップ５Ｒ，５Ｌは、外筒４への外筒装着部５１Ｒ，５１Ｌの一部に周方向の全周に亘って形成され、外筒４に形成された溝部４３Ｒ，４３Ｌに嵌合する突部５２Ｒ，５２Ｌを備える。【選択図】図１
0003183433.tif 000002
【実用新案登録請求の範囲】
【請求項１】
配電線路の引込線に接続される一対の接続端子と、前記一対の接続端子間に接続されたヒューズエレメントと、前記ヒューズエレメントを収容する内筒と、前記内筒を収容する外筒と、前記一対の接続端子をそれぞれ貫通させて前記外筒の両端部に装着された一対の防水キャップとを有する電線ヒューズにおいて、
前記外筒は、前記防水キャップの装着部の一部に全周に亘って形成された溝部又は突部を備え、
前記防水キャップは、前記外筒への装着部の一部に全周に亘って形成され、前記外筒に形成された前記溝部又は前記突部に嵌合する突部又は溝部を備える、
ことを特徴とする電線ヒューズ。
【考案の詳細な説明】
【技術分野】
【０００１】
本考案は、配電線路の引込線に接続される電線ヒューズに関するものである。
【背景技術】
【０００２】
従来の電線ヒューズとして、例えば、特許文献１に開示されているものがある。この電線ヒューズは、引込線に接続される一対の接続端子間に接続されたヒューズエレメントと、ヒューズエレメントを収容するプラスチック製の内筒と、内筒を覆うプラスチック製の外筒とを備えている。外筒の両端部には、それぞれ弾性体からなる防水キャップが装着されているとともに、防水キャップを覆うようにプラスチック製のキャップが装着されている。一対の接続端子は、対応する端部の防水キャップ及びキャップを貫通して配置されている。なお、キャップから外部に突出する接続端子は、キャップに着脱可能な弾性体からなる端子カバーで覆われるようになっている。
【先行技術文献】
【特許文献】
【０００３】
【特許文献１】実用新案登録第３１４９５６１号公報
【考案の概要】
【考案が解決しようとする課題】
【０００４】
特許文献１に開示の電線ヒューズは、内筒及びヒューズエレメントが、防水キャップにより外筒内に水密に保持される構造となっている。そのため、防水キャップは、外筒の端部に装着される内周面が、外筒の端部外周面に弾性的に押圧して装着されるように形成され、接続端子が貫通する部分はＯリングと同様の形状に形成されている。そして、防水キャップの内周面と外筒の端部外周面との間にシリコンゴム等の接着剤を介在させて、防水キャップを外筒の端部に装着するようにしている。
【０００５】
しかしながら、特許文献１に開示の電線ヒューズにおいては、防水キャップが装着される外筒の端部外周面が一様な径で形成されている。同様に、外筒の端部外周面に装着される防水キャップの内周面も、一様な径で形成されている。そのため、両者の接合面に介在させた接着剤が硬化した際に、接着剤層に形成された溝が連通して外筒の水密性が低下する場合があることが想定される。
【０００６】
したがって、かかる点に鑑みてなされた本考案の目的は、内筒及びヒューズエレメントを収容する外筒の水密性を長期間に亘って確実に確保できる電線ヒューズを提供することにある。
【課題を解決するための手段】
【０００７】
上記目的を達成する本考案に係る電線ヒューズは、配電線路の引込線に接続される一対の接続端子と、前記一対の接続端子間に接続されたヒューズエレメントと、前記ヒューズエレメントを収容する内筒と、前記内筒を収容する外筒と、前記一対の接続端子をそれぞれ貫通させて前記外筒の両端部に装着された一対の防水キャップとを有する電線ヒューズにおいて、
前記外筒は、前記防水キャップの装着部の一部に周方向の全周に亘って形成された溝部又は突部を備え、
前記防水キャップは、前記外筒への装着部の一部に周方向の全周に亘って形成され、前記外筒に形成された前記溝部又は前記突部に嵌合する突部又は溝部を備える、
ことを特徴とするものである。
【考案の効果】
【０００８】
本考案に係る電線ヒューズによると、内筒及びヒューズエレメントを収容する外筒の水密性を長期間に亘って確実に確保することができる。
【図面の簡単な説明】
【０００９】
【図１】本考案の一実施の形態に係る電線ヒューズの全体構成を示す外観図及び断面図である。
【図２】図１に示した断面図の部分拡大図である。
【図３】図１に示した内筒の拡大外観図である。
【図４】図１に示した外筒の拡大外観図である。
【図５】図１に示した防水キャップの拡大外観図及び拡大断面図である。
【考案を実施するための形態】
【００１０】
以下、本考案の実施の形態について、図を参照して説明する。
【００１１】
図１（ａ）及び（ｂ）は、本考案の一実施の形態に係る電線ヒューズの全体構成を示す外観図及び断面図である。図２は、図１（ｂ）の部分拡大図である。本実施の形態に係る電線ヒューズは、配電線路における引込線に接続されるもので、引込線に直列に接続される接続端子１Ｒ，１Ｌと、接続端子１Ｒ，１Ｌ間に接続されたヒューズエレメント２と、ヒューズエレメント２を収容する一端が有底の絶縁性の内筒３と、内筒３を覆う絶縁性の外筒４と、外筒４の両端部に接続端子１Ｒ，１Ｌを貫通して設けられた絶縁性の防水キャップ５Ｒ，５Ｌ及びキャップ６Ｒ，６Ｌとを有する。
【００１２】
キャップ６Ｒ，６Ｌから外部に突出する接続端子１Ｒ，１Ｌは、キャップ６Ｒ，６Ｌに着脱可能な端子カバー７Ｒ，７Ｌで覆われるようになっている。内筒３、外筒４及びキャップ６Ｒ，６Ｌは、例えばプラスチックの剛体からなる。防水キャップ５Ｒ，５Ｌ及び端子カバー７Ｒ，７Ｌは、例えばゴム等の弾性体からなる。
【００１３】
接続端子１Ｒは、内筒３の有底の端部を貫通して配置される。接続端子１Ｌは、内筒３の開放端部を閉塞する塞栓８を貫通して配置される。
【００１４】
ヒューズエレメント２は、所望の溶断特性（例えば２５０Ｖ，５０Ａ）に対応するもので、過負荷電流域で溶断する可溶体１１と、可溶体１１に直列に接続されて短絡電流域で溶断するしゃ断体１２とを有する。可溶体１１としゃ断体１２との間には、導電性の仕切ピン１３が設けられ、この仕切ピン１３に内筒３を仕切る絶縁性の仕切板１４が嵌合している。これにより、内筒３は可溶体１１の収容室と、しゃ断体１２の収容室とに分離される。しゃ断体１２の収容室には、珪砂等の消弧剤１５が充填される。
【００１５】
内筒３の両端部には、接続端子１Ｒ，１Ｌを貫通して接続ピン２１Ｒ，２１Ｌが設けられ、これら接続ピン２１Ｒ，２１Ｌに接続して、内筒３の外周にニクロム線等の高抵抗線２２が螺旋状に巻回されている。これにより、接続端子１Ｒ，１Ｌ間に、ヒューズエレメント２と高抵抗線２２とが並列に接続される。なお、図示しないが、高抵抗線２２の途中には、必要に応じて低溶融合金製の温度ヒューズが接続される。また、高抵抗線２２が巻回された内筒３の外周には、必要に応じてヒューズエレメント２の溶断による高抵抗線２２の加熱によって変色する感熱紙が巻きつけられる。これにより、外筒４を通して観察される感熱紙の変色の有無から、ヒューズエレメント２の溶断の有無を確認することが可能となる。
【００１６】
内筒３には、図３に拡大外観図をも示すように、開放端部の外周面の軸対称位置に２個の回転防止用の突起３１が一体に設けられている。外筒４には、図４に拡大外観図をも示すように、両端部の外周面に、キャップ６Ｒ，６Ｌが装着されるキャップ装着部４１Ｒ，４１Ｌと、防水キャップ５Ｒ，５Ｌが装着される防水キャップ装着部４２Ｒ，４２Ｌとが、外筒４の中央部から端部に向けて外径が順次小さくなるように段差状に形成されている。
【００１７】
防水キャップ装着部４２Ｒ，４２Ｌには、その一部であるキャップ装着部４１Ｒ，４１Ｌ側の端部に全周に亘って溝部４３Ｒ，４３Ｌが形成されている。また、一方の防水キャップ装着部４２Ｌの開放端部側には、内筒３の２個の突起３１が係合可能な２個の切り欠き４４が形成されている。なお、図４に示す外筒４は、一方の切り欠き４４を明瞭に示すために、図１の状態から外筒４の軸線を中心に９０°回転して示している。内筒３は、外筒４内に挿入されて、２個の突起３１が外筒４の２個の切り欠き４４に係合することにより、外筒４内に回転止めされた状態で収容される。
【００１８】
防水キャップ５Ｒ，５Ｌは、同一構成からなる。図５（ａ）は防水キャップ５Ｒ（５Ｌ）の拡大外観図を示し、図５（ｂ）は図５（ａ）のＢ−Ｂ線断面図を示す。防水キャップ５Ｒ（５Ｌ）には、外筒４の防水キャップ装着部４２Ｒ（４２Ｌ）に装着する外筒装着部５１Ｒ（５１Ｌ）の一部である開放端部内周面に、防水キャップ装着部４２Ｒ（４２Ｌ）に形成された溝部４３Ｒ（４３Ｌ）に嵌合する突部５２Ｒ（５２Ｌ）が全周に亘って形成されている。また、防水キャップ５Ｒ（５Ｌ）の接続端子１Ｒ（１Ｌ）が貫通する端子貫通孔５３Ｒ（５３Ｌ）は、貫通する接続端子１Ｒ（１Ｌ）との水密性を保持するため、Ｏリング形状に形成されている。なお、図５（ａ）は、防水キャップ５Ｒ（５Ｌ）を突部５２Ｒ（５２Ｌ）側から見た外観図である。
【００１９】
キャップ６Ｒ，６Ｌは、同一構成からなる。キャップ６Ｒ，６Ｌは、それぞれ外筒４のキャップ装着部４１Ｒ，４１Ｌに装着する外筒装着部６１Ｒ，６１Ｌと、接続端子１Ｒ，１Ｌが貫通する端子貫通孔６２Ｒ，６２Ｌを有する筒状の端子ガイド部６３Ｒ，６３Ｌとを有する。端子ガイド部６３Ｒ，６３Ｌには、キャップ６Ｒ，６Ｌから外部に突出する接続端子１Ｒ，１Ｌを覆うように端子カバー７Ｒ，７Ｌが着脱自在に装着される。
【００２０】
次に、本実施の形態に係る電線ヒューズの一組立例について説明する。先ず、可溶体１１、しゃ断体１２、仕切ピン１３及び仕切板１４を有するヒューズエレメント２を組み立てて、その両端部に接続端子１Ｒ，１Ｌを接続する。次に、ヒューズエレメント２を内筒３の開放端側から内筒３に挿入して、接続端子１Ｒを内筒３の有底部から貫通させてヒューズエレメント２を内筒３に収容する。その状態で、内筒３の開放端側から、仕切板１４によって仕切られたしゃ断体１２が位置する部分に消弧剤１５を充填して、内筒３の開放端側を塞栓８で閉塞する。その後、接続端子１Ｒ，１Ｌを貫通して接続ピン２１Ｒ，２１Ｌを設け、これら接続ピン２１Ｒ，２１Ｌに接続して、内筒３の外周に温度ヒューズを介して高抵抗線２２を螺旋状に巻回し、さらにその上に必要に応じて感熱紙を巻きつける。次に、内筒３を外筒４内に挿入して、２個の突起３１を外筒４の２個の切り欠き４４に係合させる。これにより、内筒３を外筒４内に回転止めした状態で収容する。
【００２１】
その後、外筒４の防水キャップ装着部４２Ｒ，４２Ｌにシリコンゴム等の接着剤を塗布し、防水キャップ５Ｒ，５Ｌを、端子貫通孔５３Ｒ，５３Ｌから接続端子１Ｒ，１Ｌを貫通させて、防水キャップ装着部４２Ｒ，４２Ｌに装着する。その際、防水キャップ５Ｒ，５Ｌの外筒装着部５１Ｒ，５１Ｌに形成された突部５２Ｒ，５２Ｌを、防水キャップ装着部４２Ｒ，４２Ｌに形成された対応する溝部４３Ｒ，４３Ｌに嵌め込む。次に、外筒４のキャップ装着部４１Ｒ，４１Ｌにシリコンゴム等の接着剤を塗布し、キャップ６Ｒ，６Ｌを、端子貫通孔６２Ｒ，６２Ｌから接続端子１Ｒ，１Ｌを貫通させて、キャップ装着部４１Ｒ，４１Ｌに装着する。その後、必要に応じて、キャップ６Ｒ，６Ｌの端子ガイド部６３Ｒ，６３Ｌに端子カバー７Ｌ，７Ｒを取り付けて、電線ヒューズの組み立てを完了する。
【００２２】
以上のように、本実施の形態に係る電線ヒューズによれば、防水キャップ５Ｒ，５Ｌの外筒装着部５１Ｒ，５１Ｌに突部５２Ｒ，５２Ｌを形成し、その突部５２Ｒ，５２Ｌを外筒４の防水キャップ装着部４２Ｒ，４２Ｌに形成された対応する溝部４３Ｒ，４３Ｌにはめ込んで、防水キャップ５Ｒ，５Ｌを外筒４の両端部に装着している。したがって、特許文献１の場合と比較して、突部５２Ｒ，５２Ｌ及び溝部４３Ｒ，４３Ｌを形成した分、防水キャップ５Ｒ，５Ｌと外筒４との接合面積を広くできるので、外筒４の水密性を向上することができる。しかも、突部５２Ｒ，５２Ｌを溝部４３Ｒ，４３Ｌに嵌合させて防水キャップ５Ｒ，５Ｌを外筒４に装着するので、外筒４のキャップ装着部４１Ｒ，４１Ｌにシリコンゴム等の接着剤が塗布されても、突部５２Ｒ，５２Ｌと溝部４３Ｒ，４３Ｌとの嵌合部では接着剤が切れ易くなる。したがって、突部５２Ｒ，５２Ｌと溝部４３Ｒ，４３Ｌとの嵌合部では、接着剤の硬化による溝が形成されにくくなるので、外筒４の水密性を長期間に亘って確実に確保することができる。
【００２３】
なお、本考案は、上記実施の形態に限定されるものではなく、幾多の変形又は変更が可能である。例えば、上記実施の形態では、防水キャップ５Ｒ，５Ｌ側に突部５２Ｒ，５２Ｌを形成し、外筒４側に突部５２Ｒ，５２Ｌが嵌合する溝部４３Ｒ，４３Ｌを形成したが、逆に、外筒４側に突部を形成し、防水キャップ５Ｒ，５Ｌ側に溝部を形成してもよい。
【符号の説明】
【００２４】
１Ｒ，１Ｌ  接続端子
２  ヒューズエレメント
３  内筒
４  外筒
４１Ｒ，４１Ｌ  キャップ装着部
４２Ｒ，４２Ｌ  防水キャップ装着部
４３Ｒ，４３Ｌ  溝部
５Ｒ，５Ｌ  防水キャップ
５１Ｒ，５１Ｌ  外筒装着部
５２Ｒ，５２Ｌ  突部
５３Ｒ，５３Ｌ  端子貫通孔
６Ｌ，６Ｒ  キャップ
６１Ｒ，６１Ｌ  外筒装着部
６２Ｒ，６２Ｌ  端子貫通孔
６３Ｒ，６３Ｌ  端子ガイド部
７Ｌ，７Ｒ  端子カバー
【図１】
0003183433.tif 000003
【図２】
0003183433.tif 000004
【図３】
0003183433.tif 000005
【図４】
0003183433.tif 000006
【図５】
0003183433.tif 000007